(57)【要約】【課題】キャップ部裏面の付着物により中栓部及びヒンジ部が汚れることを防止できる注出口体を提供する。【解決手段】容器の口部３に装着される内筒部７と外筒部８とを連結する連結縁部１１の上部に突設された突設部１３と、注出口を形成し連結縁部１１に連設されて容器２の内容物の注出を案内する注出筒１４とを備える中栓部４と、中栓部４上部を覆う天板１８と、天板１８裏面に立設されて注出口を閉塞する閉塞筒２０と、天板１８周縁に形成されて突設部１３に嵌合する嵌合部２１とを備えるキャップ部５と、中栓部４に対してキャップ部５を回動して開閉自在に連結するヒンジ部６とを備え、注出筒１４のヒンジ部６側における上縁に、注出筒１４の他部より肉薄で注出筒１４の周方向に沿って設けられ、キャップ部５をヒンジ部６を介して回動させて開蓋したときに閉塞筒２０の外面に対して先端縁の摺接を維持して閉塞筒２０の外面に沿ってたわむ舌片を備える。【選択図】図４
2004352278.tif 000002
【特許請求の範囲】
【請求項１】
瓶状容器の口部の内側に圧接する内筒部と、該瓶状容器の口部の外側に嵌合する外筒部と、該瓶状容器の口部上縁に沿って該内筒部と外筒部とを連結する連結縁部と、該連結縁部の上部に突設された突設部と、注出口を形成し該連結縁部に連設されて該瓶状容器の内容物の注出を案内する注出筒とを備える中栓部と、
前記中栓部の上部を覆う天板と、該天板の裏面に立設されて前記注出口を閉塞する閉塞筒と、該天板の周縁に連設された筒状の周壁部と、該周壁部の下縁に沿って形成されて前記中栓部の突設部に嵌合する嵌合部とを備えるキャップ部と、
前記中栓部に対して前記キャップ部を回動して開閉自在に連結するヒンジ部とを備える合成樹脂製の注出口体であって、
前記注出筒のヒンジ部側における上縁に、注出筒の他部より肉薄で注出筒の周方向に沿って設けられ、前記キャップ部をヒンジ部を介して回動させて開蓋したときに前記閉塞筒の外面に対して先端縁の摺接を維持して閉塞筒の外面に沿ってたわむ舌片を備えることを特徴とする注出口体。
【請求項２】
前記閉塞筒は、少なくともヒンジ部側において前記注出筒の内面に沿って張出した張り出し部を備え、前記舌片は該張り出し部の外面に摺接することを特徴とする請求項１に記載の注出口体。
【請求項３】
前記ヒンジ部の近傍に、開蓋時に前記閉塞筒のヒンジ部側先端縁が前記注出筒内に臨む位置に前記キャップ部を係止する係止手段を設けたことを特徴とする請求項１または請求項２に記載の注出口体。
【発明の詳細な説明】
【０００１】
【発明の属する技術分野】
本発明は、瓶状容器の口部に取り付けて注出口を形成する注出口体に関する。
【０００２】
【従来の技術】
従来、合成樹脂によって形成され、注出口が形成された中栓部と、注出口を覆うキャップ部と、前記中栓部に対して前記キャップ部を回動して開閉自在に連結するヒンジ部とを備える注出口体が知られている（例えば特許文献１参照）。
【０００３】
従来の注出口体の中栓部は、瓶状容器の口部の内側に圧接する内筒部と、該瓶状容器の口部の外側に嵌合する外筒部と、該瓶状容器の口部上縁に沿って該内筒部と外筒部とを連結する連結縁部と、該連結縁部の上部に突設された突設部と、注出口を形成し該連結縁部に連設されて該瓶状容器の内容物の注出を案内する注出筒とを設けて構成している。
【０００４】
また、キャップ部は、前記中栓部の上部を覆う天板と、該天板の裏面に立設されて前記注出口を閉塞する閉塞筒と、該天板の周縁に連設された筒状の周壁部と、該周壁部の下縁に沿って形成されて前記中栓部の突設部に嵌合する嵌合部とを備えている。
【０００５】
この種の注出口体を装着する瓶状容器に収納する内容物として、使用直前に該瓶状容器を振って攪拌することが好ましいものがある。その様なものとして、例えば、ソースが挙げられる。ソースなどの内容物を攪拌後注出する場合に、上記閉塞筒内のキャップ部天板裏面に内容物が付着する。そして、該付着物が開蓋の際に注出筒の外側に垂れてしまい、注出筒外側の中栓部やヒンジ部が汚れるという不都合が生じる。
【０００６】
そこで、従来の注出口体は、閉塞筒のヒンジ部側に、内面が閉塞筒内面と同一湾曲面をなす円弧板状で先端に行くに従って横幅を狭めて構成された張り出し部が垂設されている。そして、キャップ部を回動させて開蓋して張り出し部が水平状態になった際に、張り出し部先端が注出筒の開口部上方に位置する如く構成されている。この様にすることにより、閉塞筒内のキャップ部天板裏面に付着した付着物が注出筒の外側へ垂れるという不都合を防止している。
【０００７】
しかしながら、従来の注出口体は、瓶状容器を振って内容物を攪拌したときに、閉塞筒の内面だけではなく外面にも内容物が付着し、該閉塞筒の外面に付着した内容物が注出筒の外側に垂れてしまう。また、キャップ部を開きすぎた場合に、閉塞筒内に付着した内容物が注出筒の外側に垂れてしまう。そこで、従来、開蓋時にキャップ部を固定可能に構成された注出口体が知られている（例えば特許文献２参照）。
【０００８】
この注出口体は、中栓部の注出筒がヒンジ部側において切欠かれており、この切り欠かれた位置に適合するように、キャップ部の閉塞筒の張り出し部が円弧溝状の樋片の形態で設けられている。また、中栓部の突設部に、内方へ上り勾配に形成されて、閉蓋時に閉塞筒の樋片に密接してシールするシール筒片が連設されている。また、前記樋片の先端部外面には、開蓋時に前記シール筒片の上端内側に当接して、キャップ部天板裏面に付着した付着物が樋片を介して注出口に流下する位置に、キャップ部を係止する係止突部が設けてある。
【０００９】
上記注出口体は、閉蓋時に瓶状容器を振って内容物を攪拌したときに、シール筒片により閉塞筒の外面がシールされて閉塞筒の外面には内容物が付着することがない。また、キャップ部を開放すると、前記シール筒片と係止突部とが係止してキャップ部が所定位置で停止し、閉塞筒内に付着した付着物は、閉塞筒および樋片の内面に案内されて樋片の先端から注出筒の切欠部分を介して注出口に流下する。
【００１０】
しかしながら、上記注出口体は、前記シール筒片が閉蓋時においてシール性を維持しつつ、開蓋時において樋片を位置決め可能とするために、シール筒片には製造誤差の少ない精度が要求される。また、シール片が樋片に常に当接しているため、キャップ部の開閉時の操作性が悪いという不具合がある。
【００１１】
【特許文献１】
特開平８−３２４６１７号公報  （第３頁、第１−２図）
【特許文献２】
２００２−１５４５７１号公報  （第３頁、第１−２図）
【００１２】
【発明が解決しようとする課題】
本発明は上記不具合を解消するために成されたものであり、キャップ部裏面に付着した付着物により中栓部およびヒンジ部が汚れることを防止できる注出口体を提供することを目的とする。
【００１３】
【課題を解決するための手段】
前記の目的を達成するために、本発明の注出口体は、瓶状容器の口部の内側に圧接する内筒部と、該瓶状容器の口部の外側に嵌合する外筒部と、該瓶状容器の口部上縁に沿って該内筒部と外筒部とを連結する連結縁部と、該連結縁部の上部に突設された突設部と、注出口を形成し該連結縁部に連設されて該瓶状容器の内容物の注出を案内する注出筒とを備える中栓部と、前記中栓部の上部を覆う天板と、該天板の裏面に立設されて前記注出口を閉塞する閉塞筒と、該天板の周縁に連設された筒状の周壁部と、該周壁部の下縁に沿って形成されて前記中栓部の突設部に嵌合する嵌合部とを備えるキャップ部と、前記中栓部に対して前記キャップ部を回動して開閉自在に連結するヒンジ部とを備える合成樹脂製の注出口体であって、前記注出筒のヒンジ部側における上縁に、注出筒の他部より肉薄で注出筒の周方向に沿って設けられ、前記キャップ部をヒンジ部を介して回動させて開蓋したときに前記閉塞筒の外面に対して先端縁の摺接を維持して閉塞筒の外面に沿ってたわむ舌片を備えることを特徴とする。
【００１４】
かかる本発明によれば、瓶状容器を攪拌したときにキャップ部裏面に内容物が付着するが、開蓋したときに閉塞筒内の天板裏面に付着した付着物は注出筒内に流下すると共に、注出筒のヒンジ部側における上縁に設けられた舌片が閉塞筒の外面に付着した付着物を積極的にかきとる。従って、キャップ部裏面に付着した付着物により中栓部およびヒンジ部が汚れることを防止できる。
【００１５】
上記舌片は注出筒の周方向に設けられているので、その先端縁が開蓋開始時に閉塞筒の外面に比較的広い範囲で摺接される。また、舌片が注出筒の他部より肉薄なのでたわみ易く、閉塞筒の外面に沿ってたわむときに舌片の先端縁が閉塞筒への摺接を維持し易い。また、注出口体ごとの製造誤差により上記舌片に多少のバラツキが生じても舌片のたわみにより閉塞筒の付着物をかきとる効果を維持できるので、本発明の注出口体は、精密な製造方法を要することなく容易に製造することができる。
【００１６】
また、本発明の注出口体は、前記閉塞筒が、少なくともヒンジ部側において前記注出筒の内面に沿って張出した張り出し部を備え、前記舌片は該張り出し部の外面に摺接するように構成してもよい。
【００１７】
かかる本発明によれば、張出し部を設けたので、キャップ部の開蓋時に該キャップ部を比較的大きく回動しても舌片の摺接が維持できるので注出操作が容易になる。
【００１８】
また、本発明の注出口体は、前記ヒンジ部の近傍に、開蓋時に前記閉塞筒のヒンジ部側先端縁が前記注出筒内に臨む位置に前記キャップ部を係止する係止手段を設けるように構成してもよい。
【００１９】
かかる本発明によれば、中栓部に対してキャップ部を回動して開閉自在に連結するヒンジ部の作用を妨げることなく、キャップ部の過剰開蓋を防止し、確実に閉塞筒内に付着した付着物を注出筒内に流入させることができる。
【００２０】
【発明の実施の形態】
次に、添付の図面を参照しながら本発明の一実施形態について説明する。図１は本実施形態の注出口体を示す説明的縦断面図、図２は瓶状容器への取り付け前の注出口体を示す説明的側面図、図３は図２の状態の注出口体の説明的背面図、図４は図１示の注出口体の開蓋時の説明的縦断面図、図５は図２示の注出口体の開蓋時の説明的側面図である。
【００２１】
本実施形態の注出口体１は、図１に示すように、瓶状容器２の口部３に嵌着されて瓶状容器２の内容物（ソースなどの液状のもの）の注出を案内するものである。注出口体１は、ポリエチレン等の合成樹脂によって形成されており、図１に示すように、中栓部４と、キャップ部５とを備えている。キャップ部５はヒンジ部６によって中栓部４の一部に開閉自在に連結されている。
【００２２】
中栓部４は、瓶状容器２の口部３の内面に当接する内筒部７と、該口部３の外面に当接する外筒部８とを備えている。内筒部７は、瓶状容器２の口部３より僅かに大径に形成され、口部３に圧入されることによって復元弾性をもって口部３の内面に圧接している。外筒部８は、その内周面に突設された係合凸部９を備え、該係合凸部９が口部３の外周に形成された嵌合凹部１０に嵌合することによって口部３に強固に保持される。
【００２３】
内筒部７と外筒部８とは、それらの上縁が連結縁部１１を介して一体に連結されている。連結縁部１１の上面には全周にわたる凸条１２が形成されている。該凸条１２は、その外周面に突起１３を備えている。該突起１３は、後述するキャップ部５に嵌合する突設部を形成している。
【００２４】
内筒部７の内側には、瓶状容器２の内容物の注出を案内する注出筒１４が連結縁部１１に一体に連設されている。該注出筒１４は、未開封の状態では注出不能に閉塞する切除パネル１５を備えている。切除パネル１５はプルリング１６を備え、プルリング１６に指を掛けて引っ張ることによりスコア１７に沿って切除パネル１５が切除される。切除パネル１５が切除されることによって注出口が開き、注出筒１４は瓶状容器２の内部と連通し、内容物の注出が可能となる。
【００２５】
前記キャップ部５は、円盤状の天板１８と、該天板１８の周縁全周に一体に連設された周壁部１９とを備えている。天板１８の裏面側には、前記注出筒１４の内周面に密接して注出筒１４を閉塞する閉塞筒２０が連設されている。
【００２６】
周壁部１９の下縁に沿ってその内周面には、前記中栓部４の前記凸条１２に形成された突起１３に着脱自在に嵌合する凹部２１が形成されている。該凹部２１は、前記中栓部４に嵌合されるキャップ部５の嵌合部を形成している。また、周壁部１９の一部には、前記ヒンジ部６が連設されており、該ヒンジ部６の反対側には、キャップ部５の開放操作時に指を掛ける鍔部２２が形成されている。
【００２７】
閉塞筒２０は、ヒンジ部６側において注出筒１４の内面に沿って張出した肉薄の張り出し部２３を備えている。張り出し部２３は、内面が閉塞筒２０内面と同一湾曲面をなす円弧板状であり、先端がヒンジ部６側に最も張り出すように閉塞筒２０のヒンジ部６側半円筒部に、側面視で直線状に形成されている。
【００２８】
更に、本実施形態の注出口体１は、前記中栓部４に設けられた注出筒１４のヒンジ部６側における上縁に、舌片２４が連設されている。該舌片２４は、注出筒１４の他部より肉薄で、注出筒１４の周方向に沿って円弧状に所定幅を有して起立している。また、舌片２４は、その先端縁がキャップ部５をヒンジ部６を介して回動させて開蓋したときに、閉塞筒２０の外面に対してその先端縁が摺接するように配設されている。
【００２９】
また、図２および図３に示すように、注出口体１の中栓部４には、キャップ部５との境界である上縁側面でヒンジ部６の近傍両側に水平方向に突設された留片２５が一体に連設されている。また、キャップ部５には、中栓部４との境界である下縁側面から水平方向に突設されてＬ字状に下方に屈曲し、開蓋時に該留片２５に係合する係合片２６が一体に連設されている。前記留片２５および係合片２６は、開蓋時に協働して閉塞筒２０のヒンジ部５側先端縁（張り出し部２３）の内面が注出筒１４内に臨む位置にキャップ部５を係止する係止手段を構成している。
【００３０】
以上の構成からなる注出口体１を装着した瓶状容器２を攪拌したときに、キャップ部５裏面に瓶状容器２の内容物が付着する。その後、使用のために開蓋したときに、図４に開蓋途中を示すように、閉塞筒２０内の天板１８裏面に付着した付着物Ａは注出筒１４内に流下する。また、閉塞筒２０の外面に付着した付着物Ｂは、舌片２４がかきとる。このとき舌片２４は、先端縁が閉塞筒２０の外面に摺接したまま、閉塞筒２０の外面に沿ってたわみ、積極的に付着物Ｂをかきとることができる。
【００３１】
さらに、開蓋を進めていくと、図５に示すように、キャップ部５の係合片２６のＬ字先端は、中栓部４の留片２５の下縁に当接、係合して、キャップ部５は直立よりもやや前傾した姿勢に保持される。このとき、閉塞筒２０の張り出し部２３の内面が注出筒１４内に臨んだ状態でキャップ部５が係止される。
【００３２】
上記実施形態によれば、開蓋時に閉塞筒２０の張り出し部２３の外面に付着した付着物を舌片２４により積極的にかきとることができ、キャップ部５裏面に付着した付着物が中栓部４およびヒンジ部６の上に垂れることを防止することができる。また、前記舌片２４は肉薄であり、付着物をかきとる際にたわむことを前提に構成されているので、注出口体１を製造するときには必ずしも高い精度が要求されるものではなく、多少の製造誤差を許容することができる。
【００３３】
また、張出し部２３を設けたことにより閉塞筒２０の内外面に付着した付着物を除去し易くすることができる。さらに、キャップ部５の開度が係合片２６および留片２５により制限されているので、過剰な開蓋を防止することができる。その結果、本実施形態の注出口体１は、中栓部４およびヒンジ部６が汚れることを防止することができる。
【００３４】
上記実施形態では、舌片２４は肉薄で起立しているものとしたが、本発明はこれに限定されるものではなく、開蓋時にその先端縁が閉塞筒２０の外面に摺接するものであれば同一の効果を得ることができる。なお、先端縁の形状は、先端縁が外側に拡がるラッパ状（上に凸状）のものよりも内側に向くもの（下に凸状）の方が付着物を除去し易く好ましい。
【００３５】
また、本発明の注出口体は、張出し部２３と、留片２５および係合片２６との少なくともいずれか一方を備えていなくても同様の効果を得ることができるが、上記実施形態のように張出し部２３と、留片２５および係合片２６とを備えるように構成した方がより効果的であり好ましい。
【図面の簡単な説明】
【図１】本発明の一実施形態の注出口体を示す説明的縦断面図。
【図２】瓶状容器への取り付け前の注出口体を示す説明的側面図。
【図３】図２の状態の注出口体の説明的背面図。
【図４】図１示の注出口体の開蓋時の説明的縦断面図。
【図５】図２示の注出口体の開蓋時の説明的側面図。
【符号の説明】
１・・・注出口体、２・・・瓶状容器、３・・・口部、４・・・中栓部、５・・・キャップ部、６・・・ヒンジ部、７・・・内筒部、８・・・外筒部、９・・・係合凸部、１０・・・嵌合凹部、１１・・・連結縁部、１２・・・凸条、１３・・・突起（突設部）、１４・・・注出筒、１５・・・切除パネル、１６・・・プルリング、１７・・・スコア、１８・・・天板、１９・・・周壁部、２０・・・閉塞筒、２１・・・凹部（嵌合部）、２２・・・鍔部、２３・・・張り出し部、２４・・・舌片、２５・・・留片、２６・・・係合片。
【図１】
2004352278.tif 000003
【図２】
2004352278.tif 000004
【図３】
2004352278.tif 000005
【図４】
2004352278.tif 000006
【図５】
2004352278.tif 000007